(57)【要約】【課題】クッション性や保温性に優れるうえ、消臭や防音、有害物質の吸着等の効果を発揮する浴室用すのこを提供する。【解決手段】すのこ本体１の上面に炭化コルクからなるコルク板２を敷設したことにより、コルク板２のクッション性により、誤って転倒したとしても従来より安全性が格段に優れる。また、コルク板２が損傷したとしても怪我をする危険性がほとんどない。さらに、コルク板２は保温性が極めて高いため、肌触りも暖かいうえ、光熱費も節減することができる。また、炭化コルクは防音効果に優れることから、湯水を流したり洗面器や浴室椅子から発する音が響くのが大幅に軽減される。さらに、炭化コルクは消臭性に優れ、浴室内にいやな臭いがこもるのが軽減される。しかも、炭化コルクは有害物質を吸着するため、浴室内の環境を向上させる。【選択図】図１
2009011406.tif 000002
【特許請求の範囲】
【請求項１】
すのこ本体の上面に炭化コルクからなるコルク板を敷設したことを特徴とする浴室用すのこ。
【請求項２】
上記すのこ本体は四角形を呈しているとともに、４辺に隣接するすのこ本体同士を連結するための連結手段が設けられている請求項１記載の浴室用すのこ。
【請求項３】
上記コルク板は、四角形のすのこ本体を略等分に分割した四角形を呈しており、すのこ本体上に敷設されたコルク板同士の間には水きり用の間隙が設けられるとともに、上記すのこ本体は敷設されたコルク板同士の間隙の部分でカット可能に構成されている請求項１または２記載の浴室用すのこ。
【請求項４】
上記すのこ本体には、敷設されたコルク板同士の間隙の部分でカットされたときの最小カット片となりうる最小カット単位部の少なくとも四隅に、それぞれ高さ調節可能な脚部が設けられている請求項３記載の浴室用すのこ。
【発明の詳細な説明】
【技術分野】
【０００１】
本発明は、ユニットバス等の浴室の洗い場に敷設するのに適した浴室用すのこに関するものである。
【背景技術】
【０００２】
従来から、浴室にはすのこを敷くことが行なわれ、例えば、下記の特許文献１には、上面をタイル張りとしたすのこが提案されている。
【特許文献１】特開２００３−７０６６２号公報
【発明の開示】
【発明が解決しようとする課題】
【０００３】
しかしながら、上記タイル張りすのこでは、陶磁器製のタイルにはクッション性がないため、誤って足を滑らせたりして転倒すると怪我をしやすいという問題がある。また、陶磁器製のタイルが欠けたり損傷したりすると、損傷箇所が鋭利となり、非常に危険でもある。また、陶磁器製のタイルは保温性が極めて低いため、特に冬場は肌触りが冷たく感じてしまうという問題もある。さらに、陶磁器製タイルでは、消臭や防音、有害物質の吸着等には全く効果を発揮しない。
【０００４】
本発明は、このような事情に鑑みなされたもので、クッション性や保温性に優れるうえ、消臭や防音、有害物質の吸着等の効果を発揮する浴室用すのこの提供をその目的とする。
【課題を解決するための手段】
【０００５】
上記目的を達成するため、本発明の浴室用すのこは、すのこ本体の上面に炭化コルクからなるコルク板を敷設したことを要旨とする。
【発明の効果】
【０００６】
すなわち、本発明の浴室用すのこは、すのこ本体の上面に炭化コルクからなるコルク板を敷設しているため、コルク板のクッション性により、誤って転倒したとしても従来より安全性が格段に優れる。また、コルク板が損傷したとしても怪我をする危険性がほとんどない。さらに、コルク板は保温性が極めて高いため、肌触りも暖かいうえ、光熱費も節減することができる。また、炭化コルクは防音効果に優れることから、湯水を流したり洗面器や浴室椅子から発する音が響くのが大幅に軽減される。さらに、炭化コルクは、消臭性に優れ、浴室内にいやな臭いがこもるのが軽減される。さらに、炭化コルクは、有害物質を吸着するため、浴室内の環境を向上させる。
【０００７】
本発明において、上記すのこ本体は四角形を呈しているとともに、４辺に隣接するすのこ本体同士を連結するための連結手段が設けられている場合には、すのこ本体を浴室に敷設する際に連結することにより、すのこ本体の位置ずれしたり配置が歪んだりするのを防止でき、簡単な施工で整然としたすのこの設置状態を保つことができる。
【０００８】
本発明において、上記コルク板は、四角形のすのこ本体を略等分に分割した四角形を呈しており、すのこ本体上に敷設されたコルク板同士の間には水きり用の間隙が設けられるとともに、上記すのこ本体は敷設されたコルク板同士の間隙の部分でカット可能に構成されている場合には、使用した湯水は水切り用の間隙からスムーズに排出され、施工の際にも、コルク板同士の間隙の部分でカットすることにより、コルク板を途中で切断する必要がないことから、敷設面積を調節する施工を容易に行なうことができるうえ、敷設後の外観も美しく仕上げることができる。
【０００９】
本発明において、上記すのこ本体には、敷設されたコルク板同士の間隙の部分でカットされたときの最小カット片となりうる最小カット単位部の少なくとも四隅に、それぞれ高さ調節可能な脚部が設けられている場合には、カット前の浴室用すのこの高さ調節をするときは、カット前の四隅に配置された脚部により高さ調節が可能であり、一部のコルク板単位でカットしたときは、カットされた部分で高さ調節が可能となる。このように、施工の際にコルク板単位でカットしたときでも高さ調節が可能となる。そして、傾斜面に敷設したときにコルク板の上面が水平になるように施工することも容易に行なえる。
【発明を実施するための最良の形態】
【００１０】
つぎに、本発明の浴室用すのこを実施するための最良の形態を説明する。
【００１１】
図１〜図３は、本発明の浴室用すのこの一実施形態であり、図１は斜視図、図２は平面図、図３は底面図である。また、図４はすのこ本体を示す平面図である。
【００１２】
この浴室用すのこは、合成樹脂からなるすのこ本体１の上面に炭化コルクからなるコルク板２を敷設している。上記すのこ本体１は四角形を呈しており、この例では平面視で略正方形を呈している。また、上記コルク板２は、四角形のすのこ本体１を略等分に分割した四角形を呈している。この例では、平面視ですのこ本体１が呈する正方形を略四等分した正方形を呈している。そして、すのこ本体１の上面に、４枚のコルク板２が敷設されている。
【００１３】
上記すのこ本体１には、隣接する２辺に、それぞれ４箇所の第１連結部材３が外側に突出するように形成されている。上記第１連結部材３には、後述する嵌合ピンが嵌合するための嵌合穴５が穿設されている。また、上記すのこ本体１には、上記第１連結部材３が形成された２辺とは異なる隣接する他の２辺に、それぞれ４箇所の第２連結部材４が内側に突出するように形成されている。上記第２連結部材４には、上記第１連結部材３の嵌合穴５に嵌合する嵌合ピン６が形成されている。
【００１４】
図５は、上記第１連結部材３と第２連結部材４により、隣接するすのこ本体同士を連結する状態を示している。まず、第２連結部材４を第１連結部材３の上側に位置させ、嵌合ピン６を嵌合穴５に上から差し込んで嵌合する。この状態で、連結された各すのこ本体１の上面が面一になるよう構成されている。上記すのこ本体１の４辺に形成された第１連結部材３、第２連結部材４、嵌合穴５、嵌合ピン６は、本発明の連結手段として機能する。
【００１５】
上記すのこ本体１には、四角形のすのこ本体１を略等分に分割した四角形を呈する分割領域７の上面にそれぞれ分割領域７と同じ形状大きさのコルク板２が取り付けられている。この例では、上記分割領域７およびコルク板２は、平面視ですのこ本体１が呈する正方形を略四等分した正方形を呈している。
【００１６】
すのこ本体１上面に敷設されたコルク板２同士の間には、水きり用の間隙８が設けられている。また、上記すのこ本体１の分割領域７と分割領域７の間、すなわち上記間隙８に対応する部分には、水きり用のスリット９が形成されている。また、隣接する分割領域７同士の間には、上記スリット９を隔てて隣接する分割領域７同士を接続するブリッジ部１０が設けられている。
【００１７】
そして、上記すのこ本体１は敷設されたコルク板２同士の間隙８に対応する部分にあるブリッジ部１０を切断することにより、上記間隙８およびスリット９の部分からカット可能に構成されている。
【００１８】
また、上記すのこ本体１には、敷設されたコルク板２同士の間隙８の部分でカットされたときの最小カット片となりうる最小カット単位部の少なくとも四隅に、それぞれ高さ調節可能な脚部１１が設けられている。
【００１９】
図６は上記脚部１１の一例を示す断面図である。上記脚部１１は、この例では、すのこ本体１の下面に突出した突部１２にねじ穴１３が形成され、上記ねじ穴１３に調節ねじ足１４がねじ込まれて形成されている。上記調節ねじ足１４を回転させることにより、脚部１１の長さを調節し、コルク板２上面の高さを調節可能に構成されている。
【００２０】
図７は、図１〜図３に示した浴室用すのこを２つにカットした例を示す。また、図８は、図１〜図３に示した浴室用すのこを４つにカットした例を示す。このように、上記すのこ本体１は、上記スリット９を隔てて隣接する分割領域７を最小単位としてカット可能に構成されており、上記分割領域７に対応する最小カット単位部の四隅にそれぞれ脚部１１が設けられている。
【００２１】
これにより、最小カット単位部までカットされた状態でもその四隅には脚部１１が設けられてすのことして機能し、各脚部１１での高さ調節が可能となる。また、最小カット単位部が複数接続された状態でカットされたとしても、その少なくとも四隅に脚部１１が設けられてすのことして機能し、各脚部１１での高さ調節が可能となる。
【００２２】
図９は、すのこ本体１へのコルク板２の取り付け状態の一例を示す図である。この例では、コルク板２の下面にナット１５が埋設され、上記ナット１５に対するねじ１６のねじ込みによりコルク板２がすのこ本体１に取り付けられている。すのこ本体１へのコルク板２の取付は、これに限定するものではなく、接着剤、両面テープ、嵌め込み等、各種の手段を用いることができる。
【００２３】
以上のように、上記浴室用すのこによれば、すのこ本体１の上面に炭化コルクからなるコルク板２を敷設しているため、コルク板２のクッション性により、誤って転倒したとしても従来より安全性が格段に優れる。また、コルク板２が損傷したとしても怪我をする危険性がほとんどない。さらに、コルク板２は保温性が極めて高いため、肌触りも暖かいうえ、光熱費も節減することができる。また、炭化コルクは防音効果に優れることから、湯水を流したり洗面器や浴室椅子から発する音が響くのが大幅に軽減される。さらに、炭化コルクは、消臭性に優れ、浴室内にいやな臭いがこもるのが軽減される。さらに、炭化コルクは、有害物質を吸着するため、浴室内の環境を向上させる。
【００２４】
また、上記すのこ本体１は四角形を呈しているとともに、４辺に隣接するすのこ本体１同士を連結するための連結手段が設けられているため、すのこ本体１を浴室に敷設する際に連結することにより、すのこ本体１の位置ずれしたり配置が歪んだりするのを防止でき、簡単な施工で整然としたすのこの設置状態を保つことができる。
【００２５】
また、上記コルク２板は、四角形のすのこ本体１を略等分に分割した四角形を呈しており、すのこ本体１上に敷設されたコルク板２同士の間には水きり用の間隙８が設けられるとともに、上記すのこ本体１は敷設されたコルク板２同士の間隙８の部分でカット可能に構成されているため、使用した湯水は水切り用の間隙８からスムーズに排出され、施工の際にも、コルク板２同士の間隙８の部分でカットすることにより、コルク板２を途中で切断する必要がないことから、敷設面積を調節する施工を容易に行なうことができるうえ、敷設後の外観も美しく仕上げることができる。
【００２６】
また、上記すのこ本体１には、敷設されたコルク板２同士の間隙８の部分でカットされたときの最小カット片となりうる最小カット単位部の少なくとも四隅に、それぞれ高さ調節可能な脚部１１が設けられているため、カット前の浴室用すのこの高さ調節をするときは、カット前の四隅に配置された脚部１１により高さ調節が可能であり、一部のコルク板２単位でカットしたときは、カットした部分で高さ調節が可能となる。このように、施工の際にコルク板２単位でカットしたときでも高さ調節が可能となる。そして、傾斜面に敷設したときにコルク板２の上面が水平になるように施工することも容易に行なえる。
【図面の簡単な説明】
【００２７】
【図１】本発明の一実施形態の浴室用すのこを示す斜視図である。
【図２】上記浴室用すのこを示す平面図である。
【図３】上記浴室用すのこを示す底面図である。
【図４】すのこ本体を示す平面図である。
【図５】連結手段を示す断面図である。
【図６】脚部を示す断面図である。
【図７】すのこ本体をカットした状態の第１例を示す図である。
【図８】すのこ本体をカットした状態の第２例を示す図である。
【図９】コルク板の取付状態の一例を示す断面図である。
【符号の説明】
【００２８】
１：すのこ本体
２：コルク板
３：第１連結部材
４：第２連結部材
５：嵌合穴
６：嵌合ピン
７：分割領域
８：間隙
９：スリット
１０：ブリッジ部
１１：脚部
１２：突部
１３：ねじ穴
１４：調節ねじ足
１５：ナット
１６：ねじ
【図１】
2009011406.tif 000003
【図２】
2009011406.tif 000004
【図３】
2009011406.tif 000005
【図４】
2009011406.tif 000006
【図５】
2009011406.tif 000007
【図６】
2009011406.tif 000008
【図７】
2009011406.tif 000009
【図８】
2009011406.tif 000010
【図９】
2009011406.tif 000011